(57)【特許請求の範囲】
【請求項１】
通信手段による建物内ネットワークに接続された緊急事態を通報するための緊急事態通報手段が近接する複数の建物内の各戸または建物内の共用部に設置されており、前記緊急事態通報手段によって通報された緊急事態の通報を受信し、前記緊急事態通報手段によって発せられた緊急事態に関する情報と前記通報が発せられた部屋または共用部の位置に関する情報を表示するための緊急事態表示手段が前記近接する複数の建物の外を通行する通行人から見える位置に設置されており、前記緊急事態表示手段が、近接する複数の建物に設置された前記緊急事態通報手段によって通報された緊急事態の通報を受信し、前記近接する複数の建物の緊急事態に関する情報と前記通報が発せられた前記複数の建物内の部屋または共用部の位置に関する情報を表示するようにしたものであることを特徴とする建物用通報システム。
【請求項２】
請求項１記載の建物用通報システムにおいて、前記緊急事態表示手段が前記近接する複数の建物のうちのいずれか１つまたは複数の建物の近傍の道路または通路から見える位置に設置されていることを特徴とする建物用通報システム。
【請求項３】
請求項１記載の建物用通報システムにおいて、前記緊急事態表示手段が前記近接する複数の建物のいずれかの建物の敷地内、または別途確保した敷地外の土地に設置されていることを特徴とする建物用通報システム。
【請求項４】
請求項１〜３の何れかに記載の建物用通報システムにおいて、前記緊急事態表示手段は、観賞用の絵画、写真、または映像の表示手段、または宣伝用の画像または映像を表示する表示手段を兼ねていることを特徴とする建物用通報システム。
【請求項５】
請求項１〜３記載の建物用通報システムにおいて、前記緊急事態表示手段に近接させて、イメージキャラクターまたは造形物が設置されていることを特徴とする建物用通報システム。
【請求項６】
請求項１〜３記載の建物用通報システムにおいて、前記緊急事態表示手段は、イメージキャラクターまたは造形物に組み込んで設置されていることを特徴とする建物用通報システム。
【請求項７】
請求項１記載の建物用通報システムにおいて、前記緊急事態表示手段は、文字、画像、または映像の出力手段に加え、音声出力手段を備えていることを特徴とする建物用通報システム。
【請求項８】
請求項１記載の建物用通報システムにおいて、前記緊急事態表示手段は、建物内の共用部、建物内の管理室、または外部の遠隔監視施設にも設置されていることを特徴とする建物用通報システム。
【請求項９】
請求項１記載の建物用通報システムにおいて、前記緊急事態表示手段は、前記建物内の各戸にも設置されていることを特徴とする建物用通報システム。
【請求項１０】
請求項１記載の建物用通報システムにおいて、前記緊急事態通報手段は操作ボタンまたは通話手段を備えた無線または有線の通報装置であることを特徴とする建物用通報システム。
【発明の詳細な説明】
【技術分野】
【０００１】
本発明は、主として集合住宅やオフィスビルなどに適用される建物用通報システムに関するものである。本発明の通報システムは、特に、建物内の居住者に病気や怪我などの身体的な異変が生じた場合や、室内に犯罪者が侵入した場合などに、建物近傍の道路または通路など建物の外を通行する通行人から見える位置に設置した表示手段により、緊急事態を建物の居住者だけでなく通行人にも知らせることができるようにしたものである。
【背景技術】
【０００２】
建物に火災が発生した場合などの緊急事態に対しては、建物内の火災報知器を作動させたり、建物の管理室あるいは遠隔の監視施設に火災を通報するシステムなどが一般的である。
【０００３】
また、火災に限らず、居住者の病気を通報するシステムや、監視カメラと連動させて建物へ不審者の侵入を通報するシステムなどが種々開発されている。
【０００４】
例えば、特許文献１には、各住戸の家庭電灯線を介して、相互に通報しあえるようにしたマンションやアパート等の集合住宅用の通報システムにおいて、火災や温度上昇、ガス洩れ等がどの住戸から発生したかを近隣どうしでわかるようにした近隣住戸間の異常相互監視通報システムが開示されている。
【０００５】
特許文献２には、管理人が侵入者を見落としたり、管理人が巡回中や夜間不在の場合であっても、防犯の実効性がある防犯システムとして、マンション内の廊下やエレベータホール等の共用部分に設置された複数の防犯カメラと、共用部分に設置された共用モニタと、各防犯カメラの撮像箇所付近に設置された威嚇ユニットと、建物内の住戸ごとに設置された監視装置とが、各防犯カメラで撮像された画像データを管理する管理装置に接続された防犯システムが開示されている。
【０００６】
また、特許文献３には、システム利用者が緊急事態の内容に応じて通報先を自由に設定・変更することができる緊急通報システムとして、住戸単位または共用部単位ごとに設置される独立した基本通報システムを相互に連結するとともにグループ化し、建物内に設置された中央監視装置および建物外にある基地局で個々の基本通報システムを監視・制御するシステムが開示されている。
【０００７】
この特許文献３に記載されている緊急通報システムでは、基本通報システムは、部屋ごとに設置される監視センサーと監視センサーの監視・制御を行うコントローラとから構成され、各監視センサーは配線を介してコントローラに繋がれ、各基本通報システムのコントローラどうしおよびコントローラと中央監視装置がそれぞれ配線を介してつながれ、中央監視装置は基地局と接続され、コントローラと携帯電話機との間は無線通信が可能な構成としている。
【０００８】
この他、特許文献４には、集合住宅インターホンシステムとして、居室親機が非常ボタン等を備え、非常ボタンが押下されると、異常発生信号が制御装置を介して集合玄関機へ送信され、異常発生信号を受信した集合玄関機では、異常発生信号送信元の居室情報と種別情報を表示すること、集合玄関機は警報音を鳴動させるスピーカーを有すること、警備会社に警報信号を出力させ、集合玄関機で表示する情報と同様の情報を表示させることなどが記載されている。
【０００９】
また、特許文献５には、インターホンシステムにおいて、集合玄関機の表示部に各企業の広告情報や自治体からの地域情報等を表示させること、表示されるデータは、情報を提供する側（企業、自治体等）がアップロードする形としてもよいことなどが記載されている。
【先行技術文献】
【特許文献】
【００１０】
【特許文献１】特開２００２−２４５５７６号公報
【特許文献２】特開２００３−０８５６６２号公報
【特許文献３】特開２００６−３２３４９０号公報
【特許文献４】特開２０１２−０３４１１５号公報
【特許文献５】特開２０１９−０４７１９９号公報
【発明の概要】
【発明が解決しようとする課題】
【００１１】
特許文献１記載の異常相互監視通報システムは、建物内の近隣住戸間で異常を相互に監視できるようにしたものであるが、相互監視を強制的に行うことを好まない居住者も多く、その実効性が問題であり、またコストも高くつく。
【００１２】
特許文献２記載の防犯システムは、主として多数の防犯カメラと撮像箇所付近に設置された威嚇ユニット、住戸ごとに設置された監視装置とで、高い防犯機能を求めたものであるが、システムに多額の費用がかかるという問題がある。
【００１３】
特許文献３記載の緊急通報システムも、徹底した監視システムを構築しようとするものであるが、多額の設備投資が必要であり、一般の集合住宅やオフィスビルへの導入は難しい。
【００１４】
特許文献４記載の集合住宅インターホンシステムにおける集合玄関機は、来訪者が居住者を呼び出して通話するためにエントランスに設置された集合玄関機であるため、緊急時の異常発生信号に対し、居室情報や種別情報が表示されていても集合玄関機にしか表示されず、建物外から確認することはできない。すなわち、建物の近くを通りがかった通行人が緊急事態を把握することはできない。
【００１５】
特許文献５記載のインターホンシステムにおける集合玄関機の表示部における各企業の広告情報や自治体からの地域情報等も、主として建物居住者を対象としたものであり、また、建物の近くを通りがかった通行人に建物内の緊急事態を知らせるようにしたものではない。
【００１６】
本発明は、上述のような背景のもとに、多額の設備投資を要することなく、一般の集合住宅やオフィスビルへの導入および普及が可能であり、かつ建物内に生じた緊急事態を建物の近傍を通行する通行人も察知できるようにして、建物の居住者等の安全を図ることができる建物用通報システムを提供することを目的としたものである。
【課題を解決するための手段】
【００１７】
本発明の建物用通報システムは、通信手段による建物内ネットワークに接続された緊急事態を通報するための緊急事態通報手段が建物内の各戸または建物内の共用部に設置されており、前記緊急通報手段によって通報された緊急事態の通報を受信し、前記緊急事態通報手段によって発せられた緊急事態に関する情報と前記通報が発せられた部屋または共用部の位置に関する情報を表示するための緊急事態表示手段が前記建物の外を通行する通行人から見える位置に設置されていることを特徴とするものである。
【００１８】
建物の外を通行する通行人から見える位置とは、より具体的には、例えば当該建物近傍の道路または通路から見える位置であり、緊急事態表示手段を人目につく位置に設置することで、建物内の居住者に限らず、近くを通りがかった人々も緊急事態であることを容易に察知することができる。
【００１９】
建物の管理員が不在である場合でも、居住者または通行人が早期に緊急事態を察知することで、早期に対処することができる。
【００２０】
緊急事態表示手段は、建物の敷地内の周辺道路から見える位置に設置すれば、設置のための地代が削減でき、管理やメンテナンスも容易である。
【００２１】
また、周辺道路や人通りのある通路から見えやすい位置であれば、緊急事態表示手段を例えば建物の外壁面や屋上に設置してもよい。
【００２２】
また、緊急事態表示手段は１箇所に限らず、複数個所に設置すればより効果的であり、また建物の外を通行する通行人から見える位置に設置するものに加え、別途、建物の玄関近傍や、建物の他の通用口近傍にも設置するようにしてもよい。
【００２３】
なお、本発明でいう各戸には、集合住宅の各住戸の他、オフィスビルのテナントなども含むものとする。
【００２４】
また、本発明でいう緊急事態には、例えば住戸の居住者あるいはテナントにいる人が急病で動けない、あるいは大怪我をしたなどの健康の被害に関する緊急事態や、住居あるいはテナントに強盗あるいは不審者が侵入したといった犯罪の被害に関する緊急事態などが含まれる。
【００２５】
建物内の各戸または共用部に設置される緊急事態通報手段としては、例えば操作ボタンまたは通話手段を備えた無線または有線の通報装置などを用いることができるが、その形態は特に限定されない。また、例えばペンダント型、ブレスレット型、鍵型の子機としての通信装置を親機としての固定式の通報装置と併用するといったこともできる。
【００２６】
また、緊急事態表示手段に関しては、１つの建物に対する緊急事態表示手段に限らず、近接する複数の建物で共用できる共用の緊急事態表示手段を設け、各建物に設置されている緊急通報手段によって通報された緊急事態の通報を共用の緊急事態表示手段で受信し、近接する複数の建物の緊急事態に関する情報と通報が発せられた複数の建物内の部屋または共用部の位置に関する情報を、共用の緊急事態表示手段で表示するようにすることもできる。
【００２７】
この共用の緊急事態表示手段は、近接する複数の建物のうちのいずれか１つまたは複数の建物の近傍の道路または通路から見える位置に設置すればよい。その場合、共用の緊急事態表示手段は、近接する複数の建物のいずれかの建物の敷地内に設置してもよいし、別途確保した敷地外の土地に設置してもよい。
【００２８】
居住者や通行人がより容易にかつより早期に察知できる条件としては、緊急事態表示手段自体が人々の目を引く、目立つものであり、人々の興味、関心を引くものであることが重要である。
【００２９】
このように、緊急事態表示手段自体を目立つものとし、人々の興味、関心を引くものとする手段として、緊急事態表示手段を観賞用の絵画、写真、または映像の表示手段、または宣伝用の画像または映像を表示する表示手段を兼ねる装置とし、常時、人々の視線を集めるようにしておくことが望ましい。
【００３０】
具体的には、例えば緊急事態表示手段として大型のディスプレイを備えた表示装置を用い、普段は観賞用の絵画、写真、または映像、あるいは宣伝用の画像または映像を表示し、緊急事態の通報を受けたときに、画面全体または画面の一部を切り替えて、建物内に緊急事態が発生していることを表示するようにすることもできる。
【００３１】
なお、緊急事態表示手段は、大型のディスプレイを備えた表示装置など、それ自体独立して設置されるものに限らず、例えば建物の外壁面に表示する装置としては、建物の外壁面をスクリーンとして、スクリーンに向けて映像を投影するプロジェクター装置を備えたものなどを利用することもできる。
【００３２】
さらに、より人々の視線を集め、常時から人々の興味、関心を引くものとするためには、建物を象徴するイメージキャラクターあるいは動植物、乗り物、または芸術作品などを模した造形物を設け、緊急事態表示手段をこのようなイメージキャラクターまたは造形物に近接させて設置することが考えられる。
【００３３】
あるいは、緊急事態表示手段を、このような建物を象徴するイメージキャラクターまたは造形物に組み込んで設置することも考えられる。
【００３４】
また、緊急事態表示手段は、文字、画像、または映像の出力手段に加え、音声出力手段を備えた表示手段とすることもできる。視覚だけでなく、音声でも緊急事態を知らせるようにすれば、より人々の注意を喚起することができ、また離れた位置にいる人々も緊急事態を察知することができる。
【００３５】
なお、緊急事態表示手段は、この他、予算に余裕があれば、建物共用部、例えば建物内のエントランス、各階のエレベータホールなどにも簡易的な緊急事態表示手段を設置することができる。
【００３６】
また、一般的な通報システムのように、建物内の管理室、または外部の遠隔監視施設にも設置することができるが、それらは建物の玄関近傍や通用口近傍に設置される緊急事態表示手段としての装置とは異なる態様のものとすることができる。
【００３７】
また、建物内の各戸にも簡単な通報機能を備えた緊急事態表示手段を設け、建物内の住人が相互に通報を受けられるシステムを付け加えてもよい。
【発明の効果】
【００３８】
本発明の建物用通報システムの基本的な構成要素は建物内の各戸または建物内の共用部に設置される通報手段と建物の外を通行する通行人から見える位置に設置される表示手段であり、通報手段自体は簡易な構造のものとすることができるため、多額の設備投資を要することなく、比較的低コストのシステムとして、一般の集合住宅やオフィスビルへの導入および普及が容易である。
【００３９】
緊急事態表示手段を建物近傍の道路または通路などから見える位置といった人目につく位置に設置することで、建物内の居住者に限らず、近くを通りがかった通行人も緊急事態であることを容易に察知することができ、建物の管理員が不在である場合でも居住者や通行人が早期に緊急事態を察知し、早期に対処することができる。このようにして建物内に生じた緊急事態を効率的に通報し、建物の居住者等の安全を図ることができる。
【００４０】
緊急事態表示手段に、常時は観賞用の絵画、写真、または映像、あるいは宣伝用の画像または映像を表示し、緊急事態表示手段自体を目立つものとしておけば、常時、人々の関心、注目を集めることで、突発的に発生する緊急事態の通報をより確実に伝達することができる。
【００４１】
すなわち、外部の通行人も緊急事態表示手段を普段から気に留めるようにすることで、緊急事態が発生したいざというときに、居住者だけでなく通行人も緊急事態をすぐに察知することができるという効果がある。
【００４２】
さらに、より人々の視線を集め、常時から人々の興味、関心を引くように、建物を象徴するイメージキャラクターまたは造形物を設け、緊急事態表示手段をこれらと組み合わせて設置することで、建物のイメージアップを図りつつ、建物の安全性を高めることができる。
【図面の簡単な説明】
【００４３】
【図１】本発明の建物用通報システムで用いる緊急事態表示手段の設置状況を概念的に示した斜視図である。
【図２】本発明の建物用通報システムで用いる緊急事態通報手段の建物住戸内への設置状況を概念的に示した斜視図である。
【図３】本発明の建物用通報システムにおける各住戸内に設置された緊急事態通報手段と建物の敷地内に設置された緊急事態表示手段の関係を概念的に示した建物の断面図である。
【図４】本発明の建物用通報システムで用いる緊急事態表示手段の設置位置の一例を示す平面図である。
【図５】本発明の建物用通報システムで用いる緊急事態表示手段の設置位置の他の例を示す平面図である。
【図６】本発明の建物用通報システムで用いる緊急事態表示手段の設置位置のさらに他の例を示す平面図である。
【発明を実施するための形態】
【００４４】
以下、本発明を添付した図面に基づいて説明する。
図１は本発明の建物用通報システムで用いる緊急事態表示手段の設置状況の一例を概念的に示したものである。
【００４５】
この例では、緊急事態表示手段としての大型のディスプレイを備えた緊急事態表示装置１を、集合住宅としての建物２１の前を通る道路に面した敷地内に設置してある。なお、図１では、作図上、緊急事態表示装置１が建物２１の玄関に近い位置に描かれているが、本発明では玄関の近傍の場合に限らず、例えば図４に示されるように建物２１の敷地内において、道路２４に面した位置に設置することを想定している。
【００４６】
緊急事態表示装置１が建物２１の道路２４に面した目立つ位置に設置してあることで、建物内で何らかの緊急事態が発生したときに、建物２１の居住者や配送業者等だけでなく、建物２１の近くを通る通行人も緊急事態を容易に察知することができる。
【００４７】
緊急事態表示装置１のディスプレイには、普段は観賞用の絵画、写真、または映像などを表示することで、建物に出入りする居住者や建物の前を通りがかった人々の心を和まし、建物のイメージを向上させることができる。また、観賞用の絵画や映像の代わりに宣伝用の画像または映像などを表示させてもよい。
【００４８】
この場合、額に入れた絵画や写真と異なり、イメージデータを記憶させた記憶媒体を利用して、絵画や写真の画像を変えることができる。また、通信回線によるデータの受信手段を利用して、随時、画像や映像を変えたり、あるいはリアルタイムで映像を流すこともできる。
【００４９】
建物内で、住人の病気や怪我、犯罪者や不審者の侵入など、何らかの緊急事態が発生したときは、緊急事態通報手段を設置した各戸あるいは共用部からの通報を受信して、表示装置１に緊急事態の表示を行う。緊急事態通報手段と表示装置１は、有線または無線の通信回線などによる建物内ネットワークに直接または間接的に接続され、コントローラーなどを介して緊急事態通報手段からの情報を表示装置１に表示することができる。なお、これらの間に外部の監視施設などを介在させて管理することもできる。
【００５０】
緊急事態の表示形態としては、緊急事態の通報を受けたときに、例えば表示装置１のディスプレイの画面全体または画面の一部を切り替えて、建物内に緊急事態が発生していることを表示するようにすることができる。その場合、例えば緊急事態通報手段によって発せられた緊急事態に関する情報と通報が発せられた部屋または共用部の位置に関する情報などが表示される。
【００５１】
また、表示装置１のディスプレイを利用した文字あるいは画像、映像などによる緊急事態の表示に加え、スピーカーなどの音声出力手段を設ければ、視覚だけでなく、音声でも緊急事態の発生を知らせることができ、より人々の注意を喚起することができる。また、離れた位置にいる人々にも緊急事態を知らせることができる。
【００５２】
また、表示装置１の近傍には、図１に示すように建物を象徴するイメージキャラクターの表示物２あるいは例えば動植物や乗り物、芸術作品などを模した造形物を設置したり、あるいは表示装置１をそのようなイメージキャラクターまたは造形物に組み込むなどして、より人々の関心を引き寄せ、建物のイメージアップを図りつつ、建物の安全性を高めることもできる。
【００５３】
なお、緊急事態表示手段は１箇所に限らず、複数個所に設置すればより効果的であり、また、別途、建物の玄関近傍や、建物の他の通用口近傍にも設置するようにしてもよい。図１の例では玄関脇の外壁面のも、別途、緊急事態表示装置４１を設置している。
【００５４】
また、図示していないが、この他、建物共用部、例えば建物内のエントランス、各階のエレベータホールなどにも簡易的な緊急事態表示手段を設置することができる。また、建物内の各戸にも簡単な通報機能を備えた緊急事態表示手段を設け、建物内の住人が相互に通報を受けられるシステムを付け加えてもよい。
【００５５】
さらに、一般的な通報システムのように、建物内の管理室、または外部の遠隔監視施設にも、別途、緊急事態表示手段を設置することができる。
【００５６】
図２は本発明の建物用通報システムで用いる緊急事態通報手段の建物住戸内への設置状況の一例を概念的に示した図である。
【００５７】
この例では、集合住宅などの建物の住戸３１内に、緊急事態の通報機能の加え、簡易な表示機能を備えた通報装置兼表示装置１１を設置してあり、住人が病気や怪我により救助が必要な場合や、住戸３１内への犯罪者の侵入があった場合などに、通報装置兼表示装置１１によって、緊急事態を通報できるようになっている。
【００５８】
図３は本発明の建物用通報システムの一実施形態における各住戸内に設置された緊急事態通報手段と建物の外部に設置された緊急事態表示手段の関係を概念的に示した図である。
【００５９】
この例では、建物としての集合住宅２１の各住戸３１内に通報装置兼表示装置１１が設置され、さらに１階のエントランスホール２３にも共用部通報装置兼表示装置１２が設置されている。
【００６０】
建物２１の敷地内の周辺道路に面した位置には、大型のディスプレイを備えた緊急事態表示装置１が取り付けられており、この表示装置１のディスプレイには、普段は観賞用の絵画、写真、または映像、あるいは宣伝用の画像または映像などが表示される。
【００６１】
なお、この例では、緊急事態表示装置１を地球儀型の造形物３に組み込んで設けてあり、表示装置１のディスプレイには、普段は観賞用の絵画、写真、または映像、あるいは宣伝用の画像または映像などが表示される。
【００６２】
また、この例では、建物２１の敷地内に設置した上記緊急事態表示装置１に加え、玄関２２の上方の２階部分の外壁面にも緊急事態表示装置４２を取り付けてある。
【００６３】
集合住宅２１の何れかの住戸３１内からの病気や怪我の通報や、エントランスホール２３からの不審者の侵入などの通報があった場合には、表示装置１のディスプレイの画面全体または画面の一部を切り替えて、建物内に緊急事態が発生していることを表示する。
【００６４】
その場合、例えば緊急事態通報手段によって発せられた緊急事態に関する情報と通報が発せられた部屋または共用部の位置に関する情報などが表示される。
【００６５】
図４は本発明の建物用通報システムで用いる緊急事態表示手段の設置位置の一例として、１つの建物２１に対し、その敷地内の周辺道路に面する位置に緊急事態表示装置１を設置した場合を示したものである。緊急事態表示装置１は敷地内に複数設置してもよい。
【００６６】
図５および図６は、それぞれ本発明の建物用通報システムで用いる緊急事態表示手段の設置位置の他の例を示したものである。緊急事態表示手段は、図４のように１つの建物２１に対する緊急事態表示手段に限らず、近接する複数の建物２１ａ、２１ｂ、２１ｃ、２１ｄで共用できる共用の緊急事態表示装置１とすることができる。
【００６７】
すなわち、各建物２１ａ、２１ｂ、２１ｃ、２１ｄに設置されている緊急通報手段によって通報された緊急事態の通報を共用の緊急事態表示装置１で受信し、近接する複数の建物の緊急事態に関する情報と通報が発せられた複数の建物２１ａ、２１ｂ、２１ｃ、２１ｄ内の部屋または共用部の位置などに関する情報を、共用の緊急事態表示装置１で表示するようにすることができる。
【００６８】
この場合、共用の緊急事態表示装置１は、近接する複数の建物２１ａ、２１ｂ、２１ｃ、２１ｄのうちのいずれか１つまたは複数の建物の近傍の道路２４または通路から見える位置に設置すればよい。
【００６９】
その場合、共用の緊急事態表示装置１は、図５に示すように近接する複数の建物２１ａ、２１ｂ、２１ｃ、２１ｄいずれかの建物（図５の建物２１ａ）の敷地内に設置してもよいし、図６に示すように別途確保した敷地外の土地に設置してもよい。
【符号の説明】
【００７０】
１…緊急事態表示装置、２…表示物、３…造作物、
１１…通報装置兼表示装置、１２…共用部通報装置兼表示装置、
２１…建物、２２…玄関、２３…エントランスホール、２４…道路、
３１…住戸、
４１、４２…緊急事態表示装置
【要約】      （修正有）【課題】建物内に生じた緊急事態を建物の近傍を通行する通行人も察知できる建物用通報システムを提供する。【解決手段】建物用通報システムにおいて、大型のディスプレイを備えた緊急事態表示装置１を、建物の外を通行する通行人から見える位置に取り付ける。建物内に緊急事態が発生したときは、通報手段を設置した各戸あるいは共用部からの通報を受信して、表示装置１に緊急事態の表示を行う。表示装置１のディスプレイには、普段は観賞用の絵画や映像などを表示することで、建物に出入りする居住者や建物の前を通りがかった人々の心を和ませ、建物のイメージを向上させることができる。また、表示装置１が居住者だけでなく、建物の前を通りがかる通行人にも目立つことで、緊急事態を効率的に通報し、居住者の安全を図ることができる。【選択図】図１【図１】
0006889890.tif 000002
【図２】
0006889890.tif 000003
【図３】
0006889890.tif 000004
【図４】
0006889890.tif 000005
【図５】
0006889890.tif 000006
【図６】
0006889890.tif 000007